(57)【要約】【課題】通信装置に関する設定情報が登録されたサーバに対して、その通信装置が他の通信装置との間で通信している状態であっても、通信装置に関する指示を行うことができるようにする。【解決手段】管理者が、第１の通信装置１０が他の通信装置と通信するためにＳＩＰサーバに予め登録されている設定情報について、ＳＩＰサーバにおける登録を解除する指示を入力する。指示受付部５３が管理者により入力された指示を受け付けると、状態判別部５４が、第１の通信装置１０が現在通信状態にあるか、待受状態にあるかを判別する。待受状態にあると判別された場合は、設定情報登録解除部５２が登録解除を実行する。一方、通信状態にあると判別された場合は、設定情報登録解除部５２は第１の通信装置１０が通信を終了するまで待機し、第１の通信装置１０が待受状態に遷移した後で登録解除を実行する。【選択図】図２
2011049889.tif 000002
【特許請求の範囲】
【請求項１】
通信装置が他の通信装置と通信するために用いられる前記通信装置の設定情報が登録されたサーバとの間で通信を行う通信手段と、
前記通信装置が、他の通信装置との間で通信を行っている通信状態と、他の通信装置との間で通信を行っていない待受状態とのいずれの状態にあるかを判別する判別手段と、
前記設定情報の前記サーバにおける登録を解除する指示を受け付けたときに、前記判別手段により前記通信装置が前記通信状態にあると判別されたならば、前記通信装置が前記待受状態に遷移した後に前記通信手段を用いて前記指示を前記サーバに通知することにより前記登録を解除する登録解除手段と
を備えたことを特徴とする通信制御装置。
【請求項２】
前記登録解除手段が前記登録を解除する指示を受け付けた際に前記判別手段により前記通信装置が前記通信状態にあると判別された場合において、前記通信装置が前記待受状態に遷移してから前記登録解除手段が前記登録を解除するまでの間に前記通信装置に新たな着信があったときに、前記着信を拒否する着信拒否手段を更に備えたことを特徴とする請求項１記載の通信制御装置。
【請求項３】
前記通信装置が、前記設定情報の前記サーバにおける登録が解除されている登録解除状態にあるか否かを示す情報を記憶しておく記憶手段を更に備え、
前記通信手段は、前記通信装置が再起動を行ったときに、前記通信装置が前記登録解除状態にあることを示す前記情報が前記記憶手段に記憶されているならば、前記設定情報を前記サーバに登録するための通信を行うことなく、前記登録解除状態を維持することを特徴とする請求項１又は２に記載の通信制御装置。
【請求項４】
前記登録解除手段は、前記通信装置が再起動を行ったときに、前記通信装置が前記登録解除状態にあることを示す前記情報が前記記憶手段に記憶されているならば、利用者の認証を行い、前記利用者が正当であると認証された後に前記通信手段に前記登録をするための通信を行わせることを特徴とする請求項３記載の通信制御装置。
【請求項５】
前記通信装置が、保守作業が行われる状態に移行したときに、前記通信手段が前記サーバに通知する前記登録及び／又は前記登録の解除の項目を表示する表示手段を更に備えたことを特徴とする請求項１乃至４のいずれかに記載の通信制御装置。
【請求項６】
前記通信装置が、前記設定情報の前記登録が行われているか、前記登録が解除されているか、又は前記通信装置が前記待受状態に遷移した後に前記登録が解除されるかのいずれの状態にあるかを表示する表示手段を備えたことを特徴とする請求項１乃至４のいずれかに記載の通信制御装置。
【請求項７】
前記登録解除手段は、前記通信装置が保守作業が行われる状態に移行したときに、前記設定情報の前記登録を解除する指示を受け付けることを特徴とする請求項１乃至６のいずれかに記載の通信制御装置。
【請求項８】
通信装置が他の通信装置と通信するために用いられる前記通信装置の設定情報が登録されたサーバとの間で通信を行う通信手段と、
前記通信装置が、前記サーバに登録された設定情報に対する指示を受け付けたときに、他の通信装置との間で通知を行っている通信状態であれば、前記他の通信装置と通信を行っていない待受状態に遷移した後に前記通信手段を用いて前記指示を前記サーバに通知する通知手段と
を備えたことを特徴とする通信制御装置。
【請求項９】
通信装置が他の通信装置と通信するために用いられる前記通信装置の設定情報が登録されたサーバとの間で通信を行う通信手段と、
前記通信装置が、他の通信装置との間で通信を行っている通信状態と、他の通信装置との間で通信を行っていない待受状態とのいずれの状態にあるかを判別する判別手段と、
前記サーバに登録された設定情報に対する指示を受け付けたときに、前記判別手段により前記通信装置が前記通信状態にあると判別されたならば、前記通信装置が前記待受状態に遷移した後に前記通信手段を用いて前記指示を前記サーバに通知する通知手段と
を備えたことを特徴とする通信制御装置。
【請求項１０】
他の通信装置が通信装置と通信するために用いられる前記通信装置の設定情報が登録されたサーバとの間で通信を行い、前記設定情報を用いて前記通信装置を呼び出す前記他の通信装置との間で通信を行う通信手段と、
前記通信装置が、前記通信手段により他の通信装置との間で通信を行っている通信状態と、他の通信装置との間で通信を行っていない待受状態とのいずれの状態にあるかを判別する判別手段と、
前記設定情報の前記サーバにおける登録を解除する指示を受け付けたときに、前記判別手段により前記通信装置が前記通信状態にあると判別されたならば、前記通信装置が前記待受状態に遷移した後に前記通信手段を用いて前記指示を前記サーバに通知することにより前記登録を解除する登録解除手段と
を備えたことを特徴とする通信装置。
【請求項１１】
コンピュータに、
通信装置が他の通信装置と通信するために用いられる前記通信装置の設定情報が登録されたサーバとの間で通信を行う機能と、
前記通信装置が、他の通信装置との間で通信を行っている通信状態と、他の通信装置との間で通信を行っていない待受状態とのいずれの状態にあるかを判別する機能と、
前記設定情報の前記サーバにおける登録を解除する指示が受け付けられたときに、前記通信装置が前記通信状態にあると判別されたならば、前記通信装置が前記待受状態に遷移した後に前記通信手段を用いて前記指示を前記サーバに通知することにより前記登録を解除する機能と
を実現させることを特徴とするプログラム。
【発明の詳細な説明】
【技術分野】
【０００１】
本発明は、通信制御装置、通信装置及びプログラムに関する。
【背景技術】
【０００２】
特許文献１には、セッション開始プロトコル（ＳＩＰ）に対する追加を提供するためのシステムおよび方法が開示されている。この追加は、“特徴”と称されるフィールドヘッダであることが好ましく、この“特徴”フィールドヘッダは、ＲＥＧＩＳＴＥＲメッセージに追加される。このフィールドは、ＤＮＤ（邪魔をしないで下さい）特徴のような種々の特徴サービス、および、従来のＰＢＸシステムにより提供される他のサービスのための制御情報を含む。
【０００３】
特許文献２には、ＳＩＰサーバに対して登録を行うたびに、ＳＩＰサーバにアクセスするために必要なパラメータ（「ユーザ名称」など）を不揮発性メモリからなる記憶部に記憶しておく。主電源ＯＦＦ／ＯＮ等の突発的な操作後にも当該登録の削除、再登録処理を行うことができるようにした通信端末装置が記載されている。
【０００４】
特許文献３には、複数のＳＩＰクライアントがＳＩＰサーバに登録されて他の端末と通信するクライアントサーバシステムであって、ＳＩＰサーバが、１つ以上のＳＩＰクライアントを着信迂回グループとして設定した着信迂回グループ管理情報を参照して、使用不可能なＳＩＰクライアントへの着信要求に対して、他のＳＩＰクライアントへの着信迂回を可能とするものが記載されている。
【先行技術文献】
【特許文献】
【０００５】
【特許文献１】特表２００３−５１７７６４号公報
【特許文献２】特開２００６−０５４５０９号公報
【特許文献３】特開２００７−０１９８３９号公報
【発明の概要】
【発明が解決しようとする課題】
【０００６】
本発明の目的は、通信装置に関する設定情報が登録されたサーバに対して、その通信装置が他の通信装置との間で通信している状態であっても、通信装置に関する指示を行うことができるようにすることにある。
【課題を解決するための手段】
【０００７】
請求項１に記載の発明は、通信装置が他の通信装置と通信するために用いられる前記通信装置の設定情報が登録されたサーバとの間で通信を行う通信手段と、前記通信装置が、他の通信装置との間で通信を行っている通信状態と、他の通信装置との間で通信を行っていない待受状態とのいずれの状態にあるかを判別する判別手段と、前記設定情報の前記サーバにおける登録を解除する指示を受け付けたときに、前記判別手段により前記通信装置が前記通信状態にあると判別されたならば、前記通信装置が前記待受状態に遷移した後に前記通信手段を用いて前記指示を前記サーバに通知することにより前記登録を解除する登録解除手段とを備えたことを特徴とする通信制御装置である。
請求項２に記載の発明は、前記登録解除手段が前記登録を解除する指示を受け付けた際に前記判別手段により前記通信装置が前記通信状態にあると判別された場合において、前記通信装置が前記待受状態に遷移してから前記登録解除手段が前記登録を解除するまでの間に前記通信装置に新たな着信があったときに、前記着信を拒否する着信拒否手段を更に備えたことを特徴とする請求項１記載の通信制御装置である。
請求項３に記載の発明は、前記通信装置が、前記設定情報の前記サーバにおける登録が解除されている登録解除状態にあるか否かを示す情報を記憶しておく記憶手段を更に備え、前記通信手段は、前記通信装置が再起動を行ったときに、前記通信装置が前記登録解除状態にあることを示す前記情報が前記記憶手段に記憶されているならば、前記設定情報を前記サーバに登録するための通信を行うことなく、前記登録解除状態を維持することを特徴とする請求項１又は２に記載の通信制御装置である。
請求項４に記載の発明は、前記登録解除手段は、前記通信装置が再起動を行ったときに、前記通信装置が前記登録解除状態にあることを示す前記情報が前記記憶手段に記憶されているならば、利用者の認証を行い、前記利用者が正当であると認証された後に前記通信手段に前記登録をするための通信を行わせることを特徴とする請求項３記載の通信制御装置である。
【０００８】
請求項５に記載の発明は、前記通信装置が、保守作業が行われる状態に移行したときに、前記通信手段が前記サーバに通知する前記登録及び／又は前記登録の解除の項目を表示する表示手段を更に備えたことを特徴とする請求項１乃至４のいずれかに記載の通信制御装置である。
請求項６に記載の発明は、前記通信装置が、前記設定情報の前記登録が行われているか、前記登録が解除されているか、又は前記通信装置が前記待受状態に遷移した後に前記登録が解除されるかのいずれの状態にあるかを表示する表示手段を備えたことを特徴とする請求項１乃至４のいずれかに記載の通信制御装置である。
請求項７に記載の発明は、前記登録解除手段は、前記通信装置が保守作業が行われる状態に移行したときに、前記設定情報の前記登録を解除する指示を受け付けることを特徴とする請求項１乃至６のいずれかに記載の通信制御装置である。
【０００９】
請求項８に記載の発明は、通信装置が他の通信装置と通信するために用いられる前記通信装置の設定情報が登録されたサーバとの間で通信を行う通信手段と、前記通信装置が、前記サーバに登録された設定情報に対する指示を受け付けたときに、他の通信装置との間で通知を行っている通信状態であれば、前記他の通信装置と通信を行っていない待受状態に遷移した後に前記通信手段を用いて前記指示を前記サーバに通知する通知手段とを備えたことを特徴とする通信制御装置である。
請求項９に記載の発明は、通信装置が他の通信装置と通信するために用いられる前記通信装置の設定情報が登録されたサーバとの間で通信を行う通信手段と、前記通信装置が、他の通信装置との間で通信を行っている通信状態と、他の通信装置との間で通信を行っていない待受状態とのいずれの状態にあるかを判別する判別手段と、前記サーバに登録された設定情報に対する指示を受け付けたときに、前記判別手段により前記通信装置が前記通信状態にあると判別されたならば、前記通信装置が前記待受状態に遷移した後に前記通信手段を用いて前記指示を前記サーバに通知する通知手段とを備えたことを特徴とする通信制御装置である。
【００１０】
請求項１０に記載の発明は、他の通信装置が通信装置と通信するために用いられる前記通信装置の設定情報が登録されたサーバとの間で通信を行い、前記設定情報を用いて前記通信装置を呼び出す前記他の通信装置との間で通信を行う通信手段と、前記通信装置が、前記通信手段により他の通信装置との間で通信を行っている通信状態と、他の通信装置との間で通信を行っていない待受状態とのいずれの状態にあるかを判別する判別手段と、前記設定情報の前記サーバにおける登録を解除する指示を受け付けたときに、前記判別手段により前記通信装置が前記通信状態にあると判別されたならば、前記通信装置が前記待受状態に遷移した後に前記通信手段を用いて前記指示を前記サーバに通知することにより前記登録を解除する登録解除手段とを備えたことを特徴とする通信装置である。
請求項１１に記載の発明は、コンピュータに、通信装置が他の通信装置と通信するために用いられる前記通信装置の設定情報が登録されたサーバとの間で通信を行う機能と、前記通信装置が、他の通信装置との間で通信を行っている通信状態と、他の通信装置との間で通信を行っていない待受状態とのいずれの状態にあるかを判別する機能と、前記設定情報の前記サーバにおける登録を解除する指示が受け付けられたときに、前記通信装置が前記通信状態にあると判別されたならば、前記通信装置が前記待受状態に遷移した後に前記通信手段を用いて前記指示を前記サーバに通知することにより前記登録を解除する機能とを実現させることを特徴とするプログラムである。
【発明の効果】
【００１１】
請求項１の発明によれば、通信装置が着信を行わないような設定を、その通信装置が他の通信装置との間で通信している状態であっても、行うことができる。
請求項２の発明によれば、本構成を有していない場合に比較して、通信装置が着信することをより確実に防ぐことができる。
請求項３の発明によれば、本構成を有していない場合に比較して、通信装置を再起動したときに、その通信装置が着信することをより確実に防ぐことができる。
請求項４の発明によれば、通信装置を再起動したときに、その通信装置を操作しようとしている者が正当な利用者か否かを確かめることができる。
請求項５の発明によれば、本構成を有していない場合に比較して、利用者が通信装置の設定情報の登録を解除する操作を容易に行うことができる。
請求項６の発明によれば、本構成を有していない場合に比較して、利用者が通信装置の設定情報の登録についての状態を容易に把握することができる。
請求項７の発明によれば、本構成を有していない場合に比較して、利用者が通信装置の設定情報の登録を容易に解除することができる。
請求項８の発明によれば、通信装置に関する設定情報が登録されたサーバに対して、その通信装置が他の通信装置との間で通信している状態であっても、設定情報に対する指示を行うことができる。
請求項９の発明によれば、通信装置に関する設定情報が登録されたサーバに対して、その通信装置が他の通信装置との間で通信している状態であっても、設定情報に対する指示を行うことができる。
請求項１０の発明によれば、通信装置に関する設定情報が登録されたサーバに対して、その通信装置が他の通信装置との間で通信している状態であっても、設定情報に対する指示を行うことができる。
請求項１１の発明によれば、通信装置に関する設定情報が登録されたサーバに対して、その通信装置が他の通信装置との間で通信している状態であっても、設定情報に対する指示を行うことができる。
【図面の簡単な説明】
【００１２】
【図１】本発明の実施の形態における通信システムの全体構成例を示した図である。
【図２】本発明の実施の形態における第１の通信装置の機能構成例を示したブロック図である。
【図３】本発明の実施の形態における第１の通信装置に対し、第２の通信装置との通信中に保守者が設定情報の登録解除の予約を行う場合の通信シーケンスの例を示した図である。
【図４】本発明の実施の形態における第１の通信装置が設定情報の登録解除を行う際の動作例を示したフローチャートである。
【図５】本発明の実施の形態における第１の通信装置が再起動を行ったときの動作例を示したフローチャートである。
【図６】本発明の実施の形態における第１の通信装置が保守モードに移行しているときに操作パネルに表示される設定画面の例を示した図である。
【図７】本発明の実施の形態における第１の通信装置が再起動を行ったときに操作パネルに表示される設定画面の例を示した図である。
【図８】本発明の実施の形態を実現可能なコンピュータのハードウェア構成図である。
【発明を実施するための形態】
【００１３】
以下、添付図面を参照して、本発明の実施の形態について詳細に説明する。
図１は、本実施の形態が適用される通信システムの構成例を示した図である。
図示するように、この通信システムは、通信装置の一例としての第１の通信装置１０と、他の通信装置の一例としての第２の通信装置２０とが、ネットワーク８０を介して接続されることにより構成されている。
【００１４】
本実施の形態では、第１の通信装置１０として、セッション開始プロトコル（Session Initiation Protocol：ＳＩＰ）に対応したＩＰ−ＦＡＸ機能を有する画像形成装置を用いる。また、第２の通信装置２０は、画像形成装置であっても単なるファクシミリ装置であってもよいが、本実施の形態では、第１の通信装置１０と同様にＩＰ−ＦＡＸ機能を有する通信装置を用いる。ネットワーク８０としては、インターネットなどのＩＰ（Internet Protocol）ネットワークが挙げられる。
【００１５】
まず、第１の通信装置１０のハードウェア構成について詳細に説明する。
図示するように、第１の通信装置１０は、ＣＰＵ（Central Processing Unit）１１と、ＲＡＭ（Random Access Memory）１２と、ＲＯＭ（Read Only Memory）１３と、不揮発性メモリ１４と、入出力インタフェース１５と、画像読取部１６と、画像形成部１７と、ネットワークインタフェース１８とを含む。
【００１６】
ＣＰＵ１１は、ＲＯＭ１３等に記憶された各種プログラムをＲＡＭ１２にロードして実行することにより、図２を参照して後述する各機能を実現する。
ＲＡＭ１２は、ＣＰＵ１１の作業用メモリ等として用いられるメモリである。
ＲＯＭ１３は、ＣＰＵ１１が実行する各種プログラム等を記憶するメモリである。
不揮発性メモリ１４は、第１の通信装置１０の動作に必要な各種の設定情報等を記憶するメモリである。
入出力インタフェース１５は、利用者に知らせる情報を操作パネル（不図示）等に表示し、また、操作パネル等を介して利用者の入力操作を受け付ける。
【００１７】
画像読取部１６は、紙等の記録媒体に記録された画像を読み取る。ここで、画像読取部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
画像形成部１７は、紙等の記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
ネットワークインタフェース１８は、ネットワーク８０を介して、不揮発性メモリ１４に蓄積された情報や画像読取部１６が読み取った画像のデータを第２の通信装置２０へ送信したり、第２の通信装置２０から画像のデータ等を受信したりする。ここで、ネットワークインタフェース１８は、例えばネットワークインタフェースカード（ＮＩＣ）により実現される。本実施の形態では、通信制御装置が備える通信手段及び通信装置が備える通信手段の一例としてネットワークインタフェース１８を設けている。
【００１８】
ところで、第１の通信装置１０において、例えば保守者が設定の変更等の保守作業を実施する際は、他の通信装置との間で通信が行われていないときを見計らって、第１の通信装置１０を保守モードに移行させる必要がある。しかしながら、第１の通信装置１０に着信が集中すると、保守者がいつまで待っても第１の通信装置１０を保守モードに移行させることができない場合がある。
【００１９】
そこで本実施の形態では、第１の通信装置１０が他の通信装置と通信するためにＳＩＰサーバに予め登録されている第１の通信装置１０の設定情報について、その登録を解除するタイミングを制御する通信制御装置５０を第１の通信装置１０に設けている。ＳＩＰサーバと通信装置の設定情報については後述する。ここで、ＳＩＰサーバにおける設定情報の登録を解除するとは、expireパラメータを０としたＲＥＧＩＳＴＥＲリクエストを送信することにより、第１の通信装置１０に関する設定情報を削除することにより、第１の通信装置１０は他の通信装置からの着信を受けることがないようにすることをいう。また、ＳＩＰサーバにおける設定情報を登録するとは、ＳＩＰサーバに対して、他の通信装置から第１の通信装置１０に通信する際に必要な情報を設定することをいう。
【００２０】
以下では、本実施の形態における第１の通信装置１０及び通信制御装置５０の機能構成について詳細に説明する。
図２は、第１の通信装置１０の機能構成例を示したブロック図である。通信制御装置５０は、ＣＰＵ１１がＲＯＭ１３等に記憶されたプログラムをＲＡＭ１２に読み込んで実行することにより、第１の通信装置１０内に仮想的に実現される。尚、図２では、通信制御装置５０は第１の通信装置１０に内蔵されているが、通信制御装置５０は第１の通信装置１０とは独立した装置であってもよい。
【００２１】
まず、第１の通信装置１０の機能構成について説明する。図示するように、第１の通信装置１０は、通信制御装置５０と、通信部６０とを備えている。
通信制御装置５０は、第１の通信装置１０の設定情報の、ＳＩＰサーバにおける登録を解除するタイミングを制御する。
通信部６０は、ネットワークインタフェース１８を介して第２の通信装置２０との間で通信を行う。
【００２２】
次に、通信制御装置５０の機能構成について説明する。
図示するように、本実施の形態における通信制御装置５０は、設定情報登録部５１と、設定情報登録解除部５２と、指示受付部５３と、状態判別部５４と、着信拒否部５５と、記憶部５６と、表示制御部５７とを備える。これらのうち、記憶部５６は、例えばＥＥＰＲＯＭ（電気的に書き換え可能な読み出し専用メモリ）などの不揮発性メモリ１４により実現される。また、設定情報登録部５１、設定情報登録解除部５２、指示受付部５３、状態判別部５４、着信拒否部５５、表示制御部５７の各機能は、ＣＰＵ１１がＲＯＭ１３等に記憶されたプログラムをＲＡＭ１２に読み込んで実行することにより、実現される。
【００２３】
設定情報登録部５１は、ネットワークインタフェース１８を介して、第１の通信装置１０の設定情報をＳＩＰサーバへ登録する。
設定情報登録解除部５２は、ネットワークインタフェース１８を介して、第１の通信装置１０の設定情報について、ＳＩＰサーバにおける登録を解除する。本実施の形態では、登録解除手段及び通知手段の一例として設定情報登録解除部５２を設けている。
指示受付部５３は、設定情報登録部５１による登録の実行の指示と、設定情報登録解除部５２による登録解除の実行の指示とを、利用者の操作により受け付ける。
状態判別部５４は、第１の通信装置１０が、他の通信装置との間で通信を行っている通信状態と、他の通信装置との間で通信を行っていない待受状態とのいずれの状態にあるかを判別する。本実施の形態では、判別手段の一例として、状態判別部５４を設けている。
【００２４】
着信拒否部５５は、指示受付部５３が登録解除の実行の指示を受け付けた際に状態判別部５４により第１の通信装置１０が通信状態にあると判別された場合において、第１の通信装置１０が待受状態に遷移してから設定情報登録解除部５２が登録解除を実行するまでの間に第１の通信装置１０に新たな着信があったときに、その着信を拒否する。本実施の形態では、着信拒否手段の一例として着信拒否部５５を設けている。
【００２５】
記憶部５６は、第１の通信装置１０が、第１の通信装置１０の設定情報のＳＩＰサーバへの登録が解除されている登録解除状態にあるか否かを示す情報である、登録解除フラグを記憶しておく。また、記憶部５６は、登録解除の予約が行われていることを示す予約フラグの情報を記憶する。登録解除の予約とは、第１の通信装置１０が通信状態にあるときに、第１の通信装置１０が待受状態に遷移した後に登録解除を実行するように事前に設定しておくことを指す。本実施の形態では、記憶手段の一例として記憶部５６を設けている。
表示制御部５７は、第１の通信装置１０が保守モードに移行したときに、指示受付部５３が受け付ける登録及び登録解除の項目を表示する。また、表示制御部５７は、第１の通信装置１０の設定情報のＳＩＰサーバへの登録が行われているか、その登録が解除されているか、又は登録解除の予約が行われているかのいずれの状態にあるかを表示する。本実施の形態では、表示手段の一例として、表示制御部５７を設けている。
【００２６】
ここで、ＳＩＰサーバと通信装置の設定情報について具体的に説明する。
ＳＩＰサーバは、レジストラサーバと、ロケーションサーバと、プロキシサーバと、リダイレクトサーバとから構成される。これらのサーバは、ネットワーク８０上に存在する。レジストラサーバは、第１の通信装置１０等のＵＡ（User Agent）から通知されるＲＥＧＩＳＴＥＲリクエストを受け付け、そのＲＥＧＩＳＴＥＲリクエストに基づき、そのＵＡのＡｏＲ（Address of Record：論理アドレス）とコンタクトアドレス（実際のアドレス）とを、ロケーションサーバに登録する。ロケーションサーバは、ＵＡのＡｏＲとコンタクトアドレスとを対応付けて格納する。プロキシサーバは、受け付けたＳＩＰメッセージを他のＵＡに転送する。リダイレクトサーバは、受け付けたＳＩＰリクエストの転送先を解決し、その転送先を応答する。
本実施の形態における通信装置の設定情報は、上記のＡｏＲとコンタクトアドレスである。ＡｏＲは、例えば“sip:user＠aaaaa.co.jp”という形で表される、電子メールアドレスのようなものである。また、コンタクトアドレスは、ＩＰアドレスを用いて、例えば“sip:user＠192.168.1.1”のような形で表される。
【００２７】
以下では、本実施の形態における第１の通信装置１０の動作について、詳細に説明する。
図３は、第１の通信装置１０に対し、第２の通信装置２０との通信中に保守者が設定情報の登録解除の予約を行う場合の通信シーケンスの例を示した図である。
【００２８】
まず、第１の通信装置１０は、予め自装置の設定情報をＳＩＰサーバへ登録しておく。太枠で囲んだ記述１５１は、設定情報の登録の処理に相当するシーケンスである。即ち、設定情報登録部５１はＳＩＰサーバ（レジストラサーバ）に対し、第１の通信装置１０のＡｏＲとコンタクトアドレスとを含むＲＥＧＩＳＴＥＲリクエストを通知する（Ｐ１１）。そのＡｏＲとコンタクトアドレスがロケーションサーバに格納されると、第１の通信装置１０に対し、“２００ ＯＫ”のメッセージが通知され（Ｐ１２）、設定情報の登録の処理が完了する。
【００２９】
ここでは、第２の通信装置２０が発信機、第１の通信装置１０が着信機となり、両者の間にＩＰ−ＦＡＸ通信が行われる場合を例として説明する。
まず、第２の通信装置２０は、ＳＩＰサーバ（プロキシサーバ）に対し、ＩＮＶＩＴＥメッセージにより、第１の通信装置１０のＡｏＲ宛に発信動作を行う。プロキシサーバはロケーションサーバに問い合せを行い、第１の通信装置１０のＡｏＲに対応するコンタクトアドレスを得ることで、第２の通信装置２０からのＩＮＶＩＴＥメッセージを第１の通信装置１０へ伝える（Ｐ２１）。これに対し、第１の通信装置１０が“２００ ＯＫ”の応答メッセージを返信し（Ｐ２２）、更に第２の通信装置２０が第１の通信装置１０へＡＣＫメッセージを送信することにより（Ｐ２３）、両者の通信装置の間でＩＰ−ＦＡＸ通信が開始される。
【００３０】
ここで、保守者が第１の通信装置１０を保守モードに移行させたとする（Ｐ２４）。更に保守者の操作により、指示受付部５３が第１の通信装置１０の設定情報の登録解除を実行するための指示を受け付けたとすると、第１の通信装置１０は第２の通信装置２０との間で通信を行っている途中であるため、設定情報登録解除部５２は登録解除の予約を行う（Ｐ２５）。表示制御部５７は、登録解除の予約が行われたことを操作パネル上に表示する（Ｐ２６）。
第１の通信装置１０が通信を切断するときは、第２の通信装置２０にＢＹＥメッセージを通知する（Ｐ２７）。これに対して第２の通信装置２０が“２００ ＯＫ”の応答メッセージを返信すると、両者の通信装置の間でＩＰ−ＦＡＸ通信は終了する（Ｐ２８）。
【００３１】
Ｐ２５において登録解除の予約が行われているため、第２の通信装置２０との通信が終了すると、設定情報登録解除部５２は、第１の通信装置１０の設定情報のＳＩＰサーバにおける登録を解除する。太枠で囲んだ記述１５２は、設定情報の登録解除の処理に相当するシーケンスである。即ち、設定情報登録解除部５２はＳＩＰサーバ（レジストラサーバ）に、expireパラメータの設定値を０としたＲＥＧＩＳＴＥＲリクエストを通知する（Ｐ２９）。その情報がロケーションサーバに反映され、第１の通信装置１０に“２００ ＯＫ”の応答メッセージが通知されると（Ｐ３０）、設定情報の登録解除の処理が完了する。表示制御部５７は、設定情報の登録が解除されたことを操作パネル上に表示する（Ｐ３１）。
また、第１の通信装置１０が待受状態にあるときに指示受付部５３が登録解除の実行の指示を受け付けたならば、設定情報登録解除部５２は上記のような予約を経ずに登録解除を行う。
【００３２】
尚、利用者の便宜のため、Ｐ２４において保守モードへの移行がなされたときに、保守者による操作がなくても、指示受付部５３が登録解除の実行の指示を受け付けるようにしてもよい。
【００３３】
次に、自装置の設定情報の登録を解除する際に、第１の通信装置１０が行う動作について説明する。
図４は、第１の通信装置１０が設定情報の登録解除を行う際の動作例を示したフローチャートである。
【００３４】
まず、指示受付部５３が、保守者の操作により入力された登録解除の実行の指示を受け付ける（ステップ１０１）。すると状態判別部５４が、第１の通信装置１０が現在通信状態にあるか、待受状態にあるかを判別する（ステップ１０２）。通信状態にあると判別された場合は、登録解除を予約し、通信が終了してから登録解除を行うので、そのことを表す予約フラグを立て、記憶部５６に記憶する（ステップ１０３）。そして設定情報登録解除部５２は、第１の通信装置１０が通信を終了するまで待機する（ステップ１０４）。
【００３５】
第１の通信装置１０が待受状態に遷移すると、設定情報登録解除部５２は登録解除を実行するが、待受状態への遷移から登録解除の実行までの間に第１の通信装置１０が新たな着信を受け付けると、再び通信状態に戻るため、設定情報登録解除部５２は登録解除を実行できなくなってしまう。そこで、通信部６０が着信を受け付けたときは、着信拒否部５５が記憶部５６に記憶されている予約フラグの情報を読み出す。予約フラグが立っている場合は、その着信は待受状態への遷移から登録解除の実行までの間になされたものであるため、着信拒否部５５は、その着信に対し拒否する応答を通信部６０に送信させる（ステップ１０５）。
【００３６】
そして設定情報登録解除部５２が、登録解除を実行する（ステップ１０６）。また、ステップ１０２において第１の通信装置１０が待受状態にあると判別された場合は、ステップ１０３から１０５の処理は行われずに、ステップ１０６において登録解除が行われる。最後に、設定情報登録解除部５２は、登録解除フラグを立て、予約フラグを初期化し、これらの情報を記憶部５６に記憶する（ステップ１０７、１０８）。
以上で、設定情報の登録解除が行われる際の処理は終了する。
【００３７】
ところで、保守者が保守作業を行う際は、その内容により、途中で第１の通信装置１０の再起動を行う必要が生じる場合がある。次に、再起動をしたときに第１の通信装置１０が行う動作について説明する。
図５は、第１の通信装置１０が再起動を行ったときの動作例を示したフローチャートである。
【００３８】
まず、第１の通信装置１０が再起動をすると（ステップ１２１）、設定情報登録解除部５２が、記憶部５６に記憶されている登録解除フラグを読み出す（ステップ１２２）。登録解除フラグが立っていない（即ち、登録が解除されていない）場合は（ステップ１２３でＮｏ）、ここでの処理は終了し、保守者が保守作業を継続する。
一方、登録解除フラグが立っている（即ち、登録が解除されている）場合は（ステップ１２３でＹｅｓ）、保守者が操作パネルから登録実行の指示を入力したとすると、指示受付部５３は保守者の認証を行う（ステップ１２４）。その際は保守者に、例えば操作パネルから、予め定められたＩＤやパスワードを入力させる。正当な利用者であると認証されなければ、指示受付部５３は設定情報の登録の実行の指示を受け付けず、処理を終了する（ステップ１２５でＮｏ）。
これに対し、正当な利用者であると認証されれば（ステップ１２５でＹｅｓ）、その保守者による設定情報の登録の実行の指示が、指示受付部５３により受け付けられる（ステップ１２６）。そして、受け付けられた登録の実行の指示に応じて、設定情報登録部５１が、ＳＩＰサーバに対して第１の通信装置１０の設定情報を登録する（ステップ１２７）。また、設定情報登録部５１は、登録解除フラグを初期化してその情報を記憶部５６に記憶する（ステップ１２８）。
以上で、第１の通信装置１０の再起動が行われる際の処理は終了する。
【００３９】
このように、本実施の形態では、保守者による設定情報の登録の実行の指示があるまで登録を行わないようにした。このため、登録解除をしてから第１の通信装置１０を再起動したときに、第１の通信装置１０が自動的に着信を受け付けることはない。
【００４０】
尚、本実施の形態では、予約フラグと登録解除フラグの両方を不揮発性のメモリである記憶部５６に記憶しているが、予約フラグについては揮発性のメモリに記憶してもよい。ただし、登録解除フラグについては、第１の通信装置１０の再起動が行われたときにも情報が失われないようにするため、不揮発性のメモリに記憶する必要がある。
【００４１】
図６は、第１の通信装置１０が保守モードに移行しているときに、操作パネルに表示される設定画面の例を示した図である。
図６（Ａ）は、第１の通信装置１０の設定情報がＳＩＰサーバに登録されている状態を示している。画面上には「登録」ボタンと「登録解除」ボタンが表示されており、これらボタンを選択することにより設定情報の登録と登録解除をそれぞれ実行可能になっている。太字で示された「登録」ボタンは、既にこのボタンが選択され、設定情報が登録された状態になっていることを表している。一方、図６（Ｂ）は、第１の通信装置１０の設定情報の登録解除が予約されている状態を示している。太字で示された「登録解除」ボタンは、既にこのボタンが選択されていることを表している。
【００４２】
このように、利用者の便宜のため、表示制御部５７は、指示受付部５３が受け付ける「登録」及び「登録解除」の項目を、操作パネル上に表示してもよい。また、表示制御部５７は、第１の通信装置１０の設定情報が「登録中」、「登録解除中」、又は「登録解除予約中」のいずれの状態にあるかを操作パネル上に表示してもよい。
尚、図６と図４との対応を説明すると、図６（Ａ）は、図４のステップ１０１で登録解除の実行の指示を受け付ける前の状態に相当する。一方、図６（Ｂ）は、図４のステップ１０２でＹｅｓと判定されてからステップ１０６で登録解除が実行されるまでの状態に相当する。
【００４３】
図７は、第１の通信装置１０が再起動を行ったときに操作パネルに表示される設定画面の例を示した図である。
図７（Ａ）に示すように、操作パネルには、第１の通信装置１０が「登録解除中」であることが表示されている。これは、上記の通り本実施の形態では、第１の通信装置１０が再起動した後で、保守者による設定情報の登録の実行の指示があるまでは登録を行わないようにしているからである。
また、保守者により登録実行の指示が入力され、図５のステップ１２４において指示受付部５３が利用者の認証を行う際は、図７（Ｂ）に示すように、操作パネルに保守者のＩＤ等の入力を求める画面を表示してもよい。
【００４４】
なお、本実施の形態では、登録を解除する指示を受け付けたときに、他の通信装置と通信中であるならば、通信装置が待機状態に遷移した後に登録を解除するようにしたが、これに限らない。
例えば、第１の通信装置１０が、サーバに登録された通信装置に関する設定情報に対する指示（設定情報の登録、更新、削除等）を受け付けたときに、他の通信装置と通信中であるならば、通信装置が待機状態に遷移した後に、サーバに登録された設定情報に対する指示を通知するようにしてもよい。
【００４５】
ところで、本実施の形態では、通信制御装置５０が第１の通信装置１０内に仮想的に実現されていた。しかしながら、通信制御装置５０による処理は、第１の通信装置１０とは独立した汎用のコンピュータ９０で行うようにしてもよい。以下では、そのようなコンピュータ９０のハードウェア構成について説明する。
【００４６】
図８は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信インタフェース９４と、ビデオメモリやディスプレイ等からなる表示機構９５と、キーボードやマウス等の入力デバイス９６とを備える。
【００４７】
尚、本実施の形態を実現するプログラムは、通信手段により提供することはもちろん、ＣＤ−ＲＯＭ等の記録媒体に格納して提供するようにしてもよい。
【符号の説明】
【００４８】
１０…第１の通信装置、２０…第２の通信装置、５０…通信制御装置、５１…設定情報登録部、５２…設定情報登録解除部、５３…指示受付部、５４…状態判別部、５５…着信拒否部、５６…記憶部、５７…表示制御部、６０…通信部
【図１】
2011049889.tif 000003
【図２】
2011049889.tif 000004
【図３】
2011049889.tif 000005
【図４】
2011049889.tif 000006
【図５】
2011049889.tif 000007
【図６】
2011049889.tif 000008
【図７】
2011049889.tif 000009
【図８】
2011049889.tif 000010